(57)【特許請求の範囲】
【請求項１】
相談相手側の他の相談端末と通信回線を介して通信可能に接続され、該他の相談端末と共有する共有画面を、該他の相談端末のタッチパネルを有する表示画面と同時に、表示することができるようにしたタッチパネルを有する表示画面を備えた相談者側の相談端末において、
該表示画面に表示される該共有画面に、該共有画面での該相談者のタッチ操作によって指示された位置を示す第１のポインタと、該他の相談端末で表示される該共有画面での該相談相手のタッチ操作によって指示された位置に該当する位置を示す第２のポインタとを表示する第１の手段と、
該他の相談端末で表示される該共有画面での該相談相手のタッチ移動操作による該第２のポインタの移動によって該第１のポインタを移動させる第２の手段と
を有することを特徴とする相談端末。
【請求項２】
請求項１において、
前記第２の手段は、前記他の相談端末で表示される前記共有画面での前記相談相手のタッチ移動操作による前記第２のポインタの移動により、前記第２のポインタが前記第１のポインタと衝突すると、この衝突に伴う反動によって前記第１のポインタを移動させることを特徴とする相談端末。
【請求項３】
請求項１において、
前記第２の手段は、前記他の相談端末で表示される前記共有画面での前記相談相手のタッチ移動操作による前記第２のポインタの移動により、前記第２のポインタが前記第１のポインタと接触すると、前記第１のポインタの動きを前記第２のポインタに従属させることを特徴とする相談端末。
【請求項４】
相談者側の１以上の相談者端末と該相談者の相談に応ずる相談員側の１以上の相談員端末とが通信回線を介して相互に接続され、該相談者端末を用いて相談者が相談員と相談をすることができるようにした相談システム表示方法において、
該相談者端末とこれと通信可能に接続された該相談員端末とによる該相談者と該相談員との相談時、該相談者が使用する該相談者端末のタッチパネルを有する表示画面と該相談者の相談を受ける相談員が使用する該相談員端末のタッチパネルを有する表示画面とに同じ相談用の画面を共有画面として同時に表示し、
該相談者端末の表示画面に表示される該共有画面上で該相談者が指示した位置を示す第１のポインタを、該相談者端末の表示画面に表示される該共有画面上と該相談員端末の表示画面に表示される該共有画面上とに同時に表示し、
該相談員端末の表示画面に表示される該共有画面上で該相談員が指示した位置を示す第２のポインタを、該相談員端末の表示画面に表示される該共有画面上と該相談者端末の表示画面に表示される該共有画面上とに同時に表示し、
該相談員端末の表示画面に表示される該共有画面上での該相談員による該第２のポインタのタッチ移動操作により、該相談者端末と該相談員端末との夫々の表示画面に表示される該共有画面において、該第２のポインタが移動し、該第２のボインタの移動に伴って該第１のポインタを移動させることを特徴とする相談システムの表示方法。
【請求項５】
請求項４において、
前記相談者端末は相談者の顔部分を撮像するビデオカメラを備え、
前記相談員端末は相談員の顔部分を撮像するビデオカメラを備え、
前記相談者端末と前記相談員端末とでの表示画面に表示される前記第１のポインタに前記相談者端末の該ビデオカメラで撮像された相談者の顔部分の動画像を表示し、
前記相談者端末と前記相談員端末とでの表示画面に表示される前記第２のポインタに前記相談員端末の該ビデオカメラで撮像された相談員の顔部分の動画像を表示する
ことを特徴とする相談システムの表示方法。
【請求項６】
請求項４または５において、
前記相談員端末の前記表示画面で表示される前記共有画面での前記相談員のタッチ移動操作による前記第２のポインタの移動により、前記相談者端末と前記相談員端末との夫々の前記表示画面に表示される前記共有画面で、前記第２のポインタが前記第１のポインタに衝突すると、この衝突に伴う反動によって前記第１のポインタを移動させることを特徴とする相談システムの表示方法。
【請求項７】
請求項４または５において、
前記相談者端末の前記表示画面で表示される前記共有画面で、前記相談員端末で表示される前記共有画面での前記相談員のタッチ移動操作による前記第２のポインタの移動中に、前記第２のポインタが前記第１のポインタと接触すると、前記第１のポインタの動きを前記第２のポインタに従属させることを特徴とする相談システムの表示方法。
【請求項８】
複数の相談端末と通信回線で接続される相談端末のサーバシステムであって、
２つの該相談端末が該通信回線を介して接続されることによって、該２つの相談端末で共有する共有画面を該２つの相談端末に配信して同時に表示させ、
該２つの相談端末のうちのいずれか一方の相談端末で表示される該共有画面で所望の位置を指示する操作により、当該共有画面の指示された該所望の位置に該一方の相談端末に固有の第１のポインタを表示させ、当該共有画面で該第１のポインタが表示されているときに、該２つの相談端末のうちの他方の相談端末で表示される該共有画面で所望の位置を指示する操作があると、該第１のポインタが表示されている当該共有画面での該他方の相談端末で表示される該共有画面で指示された該所望の位置に該当する位置に該他方の相談端末に固有の第２のポインタも同時に表示させ、
該第１，第２のポインタがともに存在した状態にある該一方の相談端末での該共有画面で、該第２のポインタを移動させる該他方の相談端末の該共有画面での移動操作により、該第２のポインタを移動させ、該第２のポインタの移動に応じて該第１のポインタを移動させる
手段を有する
ことを特徴とする相談システムのサーバシステム。
【発明の詳細な説明】
【０００１】
【発明の属する技術分野】
本発明は、ネットワークなどを介して相手側との相談ができるようにした相談端末とそれを用いた相談システムの表示方法、並びにサーバシステムに関する。
【０００２】
【従来の技術】
かかる相談システムの一例が、特開平１ー２９６７２１号公報に開示されている。これは現金自動取引装置での相談システムに関するものであって、複数の現金自動取引機と複数の受付機とがネットワークを介して接続されており、相談する利用者（以下、相談者という）が現金自動取引機で相談相手側となる所望の受付機を指定することにより、この現金自動取引機と指定した受付機とが双方向の通信可能状態となり、現金自動取引機の利用者（相談者）が受付機の受付者（以下、相談員という）と相談できるようにしたものである。
【０００３】
これら現金自動取引機と受付機とには夫々、映像モニタ（ディスプレイ装置）やカメラといった映像機器やマイクロホンやスピーカといった音声機器などからなるコミュニケーション装置が設けられており、これらを用いて相談をすることができる。
【０００４】
【発明が解決しようとする課題】
ところで、上記のようにネットワークを介して相談を行なう場合、相談者側と相談相手となる相談員側とのディスプレイ装置に同じ画面を表示させ、その画面上の特定の個所を指摘して話合いをする場合が多く、このような場合には、マウスやキーボードなどを操作してポインタで画面上の指摘個所を指し示すようにする方法が一般に取られている。
【０００５】
このようなディスプレイ装置の操作によって相談を行なう場合、パソコンなどの端末を使い慣れた相談者の場合には、各別問題はないが、かかる端末の使用に不慣れな素人もかかる相談システムを用いて相談したい場合もあるが、使いこなしが円滑でないために、相談が円滑に行なわれないこともある。
【０００６】
また、ポインタにしても、相談者側と相談員側とで形状や色など視覚的に異ならせることにより、両者の区別をすることができるようにしているが、これによってポインタの区別は明確であるものの、相談しているうちにどのポインタがどちら側のものか判らなくなってしまうこともある。このため、音声でもって画面上の所望個所を指摘するような事態にもなり兼ねず、相談の進行が阻害されることになる。
【０００７】
このように、従来のディスプレイ装置を用いた相談システムでは、画面の操作が煩雑であり、その操作が相談の進行に影響を与えるという問題があった。
【０００８】
本発明の目的は、かかる問題を解消し、画面操作を簡略化して円滑な相談ができるようにした相談端末とそれを用いた相談システムの表示方法、並びにサーバシステムを提供することにある。
【０００９】
【課題を解決するための手段】
上記目的を達成するために、本発明による相談端末は、相談相手側の他の相談端末と通信回線を介して通信可能に接続され、他の相談端末と共有する共有画面を、他の相談端末のタッチパネルを有する表示画面と同時に、表示することができるようにしたタッチパネルを有する表示画面を備えたものであって、表示画面に表示される共有画面に、共有画面での相談者のタッチ操作によって指示された所望の位置を示す第１のポインタと、他の相談端末で表示される共有画面での相談相手のタッチ操作によって指示された位置に該当する位置を示す第２のポインタとを表示する第１の手段と、他の相談端末で表示される共有画面での相談相手のタッチ移動操作による第２のポインタの移動によって第１のポインタを移動させる第２の手段とを有する構成とするものである。
【００１０】
また、本発明による相談端末は、第２の手段が、他の相談端末で表示される共有画面での相談相手のタッチ移動操作による第２のポインタの移動により、第２のポインタが第１のポインタと衝突すると、この衝突に伴う反動によって第１のポインタを移動させる構成とするものである。
また、本発明による相談端末は、第２の手段が、他の相談端末で表示される共有画面での相談相手のタッチ移動操作による第２のポインタの移動により、第２のポインタが第１のポインタと接触すると、第１のポインタの動きを第２のポインタに従属させる構成とするものである。
【００１１】
また、本発明による相談システムの表示方法は、相談者側の１以上の相談者端末と相談者の相談に応ずる相談員側の１以上の相談員端末とが通信回線を介して相互に接続され、相談者端末を用いて相談者が相談員と相談をすることができるようにしたものであって、相談者端末とこれと通信可能に接続された相談員端末とによる相談者と相談員との相談時、相談者が使用する相談者端末のタッチパネルを有する表示画面と相談者の相談を受ける相談員が使用する相談員端末のタッチパネルを有する表示画面とに同じ相談用の画面を共有画面として同時に表示し、相談者端末の表示画面に表示される共有画面上で相談者が指示した位置を示す第１のポインタを、相談者端末の表示画面に表示される共有画面上と相談員端末の表示画面に表示される共有画面上とに同時に表示し、相談員端末の表示画面に表示される共有画面上で相談員が指示した位置を示す第２のポインタを、相談員端末の表示画面に表示される共有画面上と相談者端末の表示画面に表示される共有画面上とに同時に表示し、相談員端末の表示画面に表示される共有画面上での相談員による第２のポインタのタッチ移動操作により、相談者端末と相談員端末との夫々の表示画面に表示される共有画面において、第２のポインタが移動し、第２のボインタの移動に伴って第１のポインタを移動させる構成とするものである。
【００１２】
また、本発明による相談システムは、相談者端末が相談者の顔部分を撮像するビデオカメラを、また、相談員端末が相談員の顔部分を撮像するビデオカメラを夫々備え、相談者端末と相談員端末とでの表示画面に表示される第１のポインタに相談者端末のビデオカメラで撮像された相談者の顔部分の動画像の表示部を設け、かつ相談者端末と相談員端末とでの表示画面に表示される第２のポインタに相談員端末のビデオカメラで撮像された相談員の顔部分の動画像の表示部を設けた構成とするものである。
【００１３】
また、本発明による相談システムの表示方法は、相談員端末の表示画面で表示される共有画面での相談員のタッチ移動操作による第２のポインタの移動により、相談者端末と相談員端末との夫々の表示画面に表示される共有画面で、第２のポインタが第１のポインタに衝突すると、この衝突に伴う反動によって第１のポインタを移動させる構成とするものである。
また、本発明による相談システムの表示方法は、相談者端末の表示画面で表示される共有画面で、相談員端末で表示される共有画面での相談員のタッチ移動操作による第２のポインタの移動中に、第２のポインタが第１のポインタと接触すると、第１のポインタの動きを第２のポインタに従属させる構成とするものである。
【００１７】
また、本発明による相談端末のサーバシステムは、複数の相談端末と通信回線で接続される相談端末のサーバシステムであって、２つの該相談端末が通信回線を介して接続されることによって、２つの相談端末で共有する共有画面を２つの相談端末に配信して同時に表示させ、２つの相談端末のうちのいずれか一方の相談端末で表示される共有画面で所望の位置を指示する操作により、当該共有画面の指示された所望の位置に一方の相談端末に固有の第１のポインタを表示させ、当該共有画面で第１のポインタが表示されているときに、２つの相談端末のうちの他方の相談端末で表示される共有画面で所望の位置を指示する操作があると、第１のポインタが表示されている当該共有画面での他方の相談端末で表示される共有画面で指示された所望の位置に該当する位置に他方の相談端末に固有の第２のポインタも同時に表示させ、第１，第２のポインタがともに存在した状態にある一方の相談端末での共有画面で、第２のポインタを移動させる他方の相談端末の共有画面での移動操作により、第２のポインタを移動させ、第２のポインタの移動に応じて第１のポインタを移動させる手段を有する構成とするものである。
【００１８】
【発明の実施の形態】
以下、本発明の実施形態を図面を用いて説明する。
なお、以下では、タッチパネルを備えた専用の相談端末を用いた銀行や証券会社を例に説明するが、マウスなどを用いるパーソナルコンピュータを相談端末として用いてもよい。
【００１９】
図１は本発明による相談システムの一実施形態を示す概略構成図であって、１は相談者端末、２は相談員端末、３は通信回線、４は相談業務／管理サーバである。
【００２０】
同図において、インターネットや専用通信回線，電話回線といった通信回線３には、１以上の相談者側の相談端末（相談者端末）１と相談者の相談に応ずる１以上の相談員側の相談端末（相談員端末）２とが接続され、相談者が相談者端末１の１つを操作し、通信回線３を介して相談員端末２の１つと接続することにより、これら相談者端末１と相談員端末２を用いて相手側と相談することができる。なお、一例としては、相談員端末２が銀行や証券会社などの所定の場所に設置され、相談者端末１はそれらの指定などに設置される。また、相談者端末１としては、個人が所有する専用のパソコンであってもよい。
【００２１】
また、通信回線３には、相談システムのサーバシステムとしての相談業務／管理サーバ４が接続されている。この相談業務／管理サーバ４はアプリケーションプログラムを動作させて相談業務を行なわせるとともに、必要な情報の保管管理などの業務を行なうものであり、例えば、相談員端末２が設置されている銀行や証券会社などに設置されている。
【００２２】
図２は図１における相談者端末１の一具体例を示す外観斜視図であって、５は端末本体、６はタッチパネル付きのディスプレイ画面、７はビデオカメラ、８はスピーカ、９はカード挿入／排出口、１０は用紙挿入／排出口、１１は送受話器である。この場合の相談者端末１は銀行や証券会社などに設置される、例えば、ＡＴＭ端末とするものである。
【００２３】
同図において、端末本体５の前面上側は操作部をなしており、そこには、タッチパネル付きのディスプレイ画面６や相談者の主に顔部分を撮影するビデオカメラ７，案内のためのスピーカ，後述するカードを出し入れするためのカード挿入／排出口，後述する用紙の出し入れをするための用紙挿入／排出口１０，相談のときに使用する送受話器１１などが設けられている。また、かかる操作部の下部には、テーブル１２が設けられており、相談中にメモなどの筆記を行なうことができるようにしている。
【００２４】
相談者が図示しない電源ボタンを操作すると、電源がオンしてディスプレイ画面６に後述のメニュー画面が表示され、このメニュー画面の所定の位置をタッチ操作して相談モードを指定すると、通信回線３を介して相談員端末２（図１）と接続され、相手側との相談が可能となる。この場合には、送受話器１１を用いて相談員側と通話し、ディスプレイ画面６に表示される相談員端末２との共有画面を見ながら相談ができ、このディスプレイ画面６での所定の個所を指摘するポインタを操作する場合や文字，線，イラストなどを記入する場合には、ディスプレイ画面６に指先やスタイラスなどでタッチすることにより、これを行なうことができる。ディスプレイ画面６には、また、相談員側による指摘個所や文字なども同時に表示される。端末本体５内には、このような画像表示や各種の処理を行なうための処理手段や他の相談端末との通信を行なうための通信手段，これらを制御する制御手段などが内蔵されている。
【００２５】
なお、図示しないが、この相談者端末２には、マウスも設けられている。
【００２６】
図３は図２に示した相談者端末２に用いる表示装置でのタッチパネル付きディスプレイ画面６の一具体例の概略構成を示す斜視図であって、１３，１４はタッチパネル、１５は赤外線である。
【００２７】
同図において、ディスプレイ画面６上には、タッチパネル１４が設けられ、さらにその上に、別のタッチパネル１３が設けられている。タッチパネル１３は枠１３ａを有しており、この枠１３ａの内側の中空部１３ｂの大きさがディスプレイ画面６の大きさと等しく設定されている。そして、この枠１３ａの中空部１３ｂでは、その枠１３ａの横方向の一方の稜１３ｃの内面から垂直に細いビーム状の赤外線１５が放射され、これらを横方向の他方の稜１３ｃ’の内面に設けられたセンサ（図示せず）で検出するように構成されており、同様にして、枠１３ａの縦方向の一方の稜１３ｄの内面から垂直に細いビーム状の赤外線１５が放射され、これらを縦方向の他方の稜１３ｄ’の内面に設けられたセンサ（図示せず）で検出するように構成されている。即ち、枠１３ａの中空部１３ｂでは、縦横方向に交差して多数の赤外線１５のビームが放射された赤外線の膜が形成されている。この赤外線の膜は、ディスプレイ画面６の上部の、例えば、数１０ｍｍの部分に張られている。
【００２８】
そこで、この枠１３の中空部１３ｂ内に指を挿入すると、その挿入位置での縦横の赤外線１５のビームが遮られ、このことを上記センサの出力によって検出することにより、指が挿入された位置を検出することができる。
【００２９】
また、タッチパネル１４は、これを指先でタッチすると、そのタッチした位置を検出するものである。
【００３０】
ディスプレイ画面６には、このようなタッチパネル１３，１４が設けられているので、指がタッチパネル１３の中空部１３ｂに挿入されいるが、タッチパネル１４にタッチしていない状態（これを、以下、タッチパネル１３にタッチした状態とする）と指がタッチパネル１３の中空部１３ｂを介してタッチパネル１４に接触している状態（これを、以下、タッチパネル１４にタッチした状態とする）との２つの状態を取ることができ、ここでは、これらをディスプレイ画面６での別々の操作とするものである。即ち、上記のタッチパネル１３にタッチした状態とすることをタッチパネル１３のタッチ操作とし、上記のタッチパネル１４にタッチした状態とすることをタッチパネル１４のタッチ操作とする。
【００３１】
図４はかかる操作を示す図であって、図４（ａ）はタッチパネル１３，１４の操作が行なわれる前の状態を示すものである。この場合には、図４（イ）に示すように、ディスプレイ画面６には、操作の結果は現れていない。図４（ｂ）はタッチパネル１３のタッチ操作がなされた状態を示すものであって、この場合には、図４（ロ）に示すように、ディスプレイ画面６上のそのタッチ位置にポインタ１７が表示される。従って、タッチパネル１３のタッチ操作状態を維持しながら指先１６を移動させることにより、このポインタ１７をこの指先１６の移動軌跡に沿ってディスプレイ画面６上を移動させることができる。また、図４（ｃ）はタッチパネル１４のタッチ操作がなされた状態（指先１６がタッチパネル１４に接触）を示すものであって、図４（ハ）に示すように、ディスプレイ画面６上で表示されるポインタ１７の表示位置で選択（クリック）がなされた機能が働くことになる。勿論、図４（ｂ）または（ｃ）に示す状態から図４（ａ）に示す状態に移ると、ポインタ１７は表示されなくなる。
【００３２】
そこで、ディスプレイ画面６上にあるタッチボタン（項目）１８があり、これを指定する場合には、ディスプレイ画面６上にあるタッチボタン１８にタッチ操作することにより、まず、図４（ｂ）に示す状態となってタッチボタン１８の表示位置にポインタ１７が表示され（図４（ロ））、次に、図４（ｃ）に示す状態に移って、図４（ハ）に示すように、このタッチボタン１８がクリックされる。また、このタッチボタン１８を指し示すだけの場合には、このタッチボタン１８の表示位置で、図４（ｂ）に示すように、タッチパネル１３のタッチ操作状態とすればよい。
【００３３】
このようにして、ディスプレイ画面６での指先によるタッチ操作によって情報を入力するインターフェースでありながら、従来のマウスなどを用いたインターフェースではできなかったポインタを表示させて移動させたり、ポインタで所望のタッチボタンをクリックしたりする２つのモードを切り替えることができるから、相談者の指先によるタッチ操作でもって、ロールオーバ機能（ポインタがある目的画像の上に位置しているとき、この目的画像の補足説明情報を表示するなどの機能）やポインタを用いてある目的画像を指し示すことができる機能が実現可能となり、また、相談者の指先のディスプレイ画面６での接触位置がこの画面上に直接反映されるから、相談者は自身が行なう操作位置を簡単にかつ間違いなく決めることができて、端末の熟練者でなくとも操作がし易くなる。
【００３４】
また、このタッチパネル付きのディスプレイ画面６の変形例としては、タッチパネル１４のみを備え、このタッチパネル１４がこれに接触する指先の押圧力を検出できるものとする構成にすることができる。かかるタッチパネルの一例としては、GAW（Guided  Acoustic  Wave）方式のものが知られている。これは、ガラス板中の端部で音波を発生させ、このガラス板内での音波の伝播とガラス板の辺部での音波の反射とを行なわせるものであって、このガラス板に指先を接触させると、その部分で音波が減衰することを利用し、その接触位置での音波が減衰する領域の面積の違いとを検出し、この面積から指先の押圧力を判定するものである。これによると、予め決められた閾値よりも小さい押圧力でタッチされた場合には、図４（ｂ）に相当するタッチ操作がなされたとして、図４（ロ）に示すように、ディスプレイ画面６上にポインタ１７を表示させるようにし、予め決められた閾値よりも以上の押圧力でタッチされた場合には、図４（ｃ）に相当するタッチ操作がなされたとして、図４（ハ）に示すように、ポインタ１７でクリックされたものとする。
【００３５】
また、タッチパネル１４は、タッチ位置とともに、さらに、タッチ面積（接触面積）を検出できるようにしている。検出されたタッチ面積は予め設定された閾値と比較され、この閾値よりも狭いタッチ面積のタッチ状態とこの閾値以上のタッチ面積のタッチ状態とに区別される。そして、タッチ面積がこの閾値よりも小さい場合には、このタッチ位置に対向するディスプレイ画面６の位置に書込みが行なわれ、また、タッチ面積がこの閾値以上の場合には、このタッチ位置に対向するディスプレイ画面６の位置で上記のクリックがなされた機能を持たせる。
【００３６】
ここで、この閾値をスタイラスの先端でこのタッチパネル１４をタッチした場合のタッチ面積よりもわずかに大きく設定しておくことにより、タッチパネル１４にスタイラスの先端でタッチした場合と指先でタッチした場合とを判別することができる。
【００３７】
図５はタッチパネル１４のかかる機能を説明するためのものであって、図５（ａ）に示す上記のタッチパネル付きディスプレイ画面６のタッチパネル１４を、図５（ｂ）に示すように、スタイラス２０の先端でタッチし、このスタイラス２０を移動させると、スタイラス２０の先端の移動軌跡に沿ってディスプレイ画面６上に線２１を描かせることができ、この先端がディスプレイ画面６に表示されたタッチボタン１８に触れても、このタッチボタン１８がクリックされることはない。これに対し、指先１６でこのタッチパネル付きディスプレイ画面６のタッチパネル１４に触れても、この触れた部分に画像が表示されることがなく、図５（ｃ）に示すように、指先がディスプレイ画面６に表示されるタッチボタン１８に触れると、そのタッチボタン１８がクリックされることになる。
【００３８】
このように、この具体例では、タッチパネル付きディスプレイ画面６にスタイラス２０でタッチした場合には、書込み表示が行なわれ、指先でタッチした場合には、クリックが行なわれるものであって、これら２つのモードがスタイラス２０を用いるか、指先でタッチするかで自動的に切り替えられ、このモード切換えと同時に切り替えられたモードを実行するものであり、従来のタッチパネル付きディスプレイ画面を用いた端末で必要としたモード切換えのための操作が不要となる。従って、相談者としては、モードの切替えを意識せずに、夫々のモードを実行することができ、操作が大幅に簡略化される。
【００３９】
なお、この具体例では、タッチパネル１４でのタッチ面積によってモードの判定を行なうようにしたものであるが、接触物（上記の場合、スタイラス２０と指先１６）のバネ定数（硬さの程度。例えば、スタイラス２０の先端は硬く、指先１６は軟らかい）や、接触物がタッチパネル１４にタッチしたときのこのタッチパネル１４のタッチ部分での振動の減衰の度合いなどによって接触物を区別し、モードを判定するようにしてもよい。
【００４０】
また、タッチパネル１４をスタイラス２０でタッチ操作したときには、このスタイラス２０はタッチパネル１３もタッチしたことになるが、タッチパネル１４でのタッチ操作が、上記のような判定により、スタイラス２０によるものであるときには、タッチパネル１３がタッチされても、ポインタ１７が表示されないようにしている。
【００４１】
次に、この実施形態の各機能について説明する。
【００４２】
図２に示した相談者端末において、電源を投入すると、あるいはまた、電源が投入されていても、使用されていない状態では、ディスプレイ画面６に図６に示すようなメニュー画面２２が表示される。このメニュー画面２２では、所望の情報を得ることができるようにしたタッチボタン２３ａ〜２３ｇや、所望の情報を印刷するためのタッチボタン（「印刷する」ボタン）」２３ｈ、相談員側との相談を要求するためのタッチボタン（「相談する」ボタン）２３ｉ、使用後に元のメニュー画面２２に戻すためのタッチボタン（「最初に戻る」ボタン）２３ｊなどが表示されており、これらタッチボタンのいずれかを選択することにより、この選択したタッチボタンに対応する機能を使用することができる。
【００４３】
かかる機能としては、図７に示すように、情報の閲覧，相談，印刷，相談の中断，講演生中継の視聴などであり、図６に示すメニュー画面２２においては、タッチボタン２３ａ，２３ｂによって、例えば、投資信託やデビットカードに関する情報を閲覧できるようにしている。このような閲覧情報は相談業務／管理サーバ４（図１）などに格納されており、メニュー画面２２のタッチボタン２３ａ，２３ｂをタッチ操作すると、このサーバから対応する閲覧情報が読み出され、通信回線３を介して相談者端末１に送られ、そのディスプレイ画面６に表示される。また、メニュー画面２２の「相談する」ボタン２３ｉを選択することにより、相談員端末２との間で双方向通信が可能となって、そこでの相談員との相談が可能となるし、「印刷する」ボタン２３ｈを選択することにより、閲覧情報や相談時に用いた情報などの印刷が可能となる。このように閲覧や相談時に使用された情報は、相談業務／管理サーバ４に格納されている。さらに、メニュー画面２２のタッチボタン２３ｃを選択することにより、現在行なわれている講演の中継を視聴することができる。講演が行なわない場合もしくは行なわれていない場合には、このような講演を視聴するタッチボタンは表示されない。相談の中断は相談員側から申し込まれるものである。
【００４４】
なお、図６に示すようなメニュー画面では、各種の案内も行なわれるようにしており、タッチボタン２３ｄ〜２３ｇによって所望とする案内を受けることができる。このような案内のための情報も、相談業務／管理サーバ４などに格納されている。
【００４５】
また、図６に示すメニュー画面２２での所望のタッチボタンの選択は、図３〜図５で説明したように、所望のタッチボタンの部分を指先でクリックすることによって行なうことができる。
【００４６】
図８は図６に示したメニュー画面２２で情報の閲覧を選択した場合の画面（即ち、情報検索画面）２５を示すものであって、いま、図８（ａ）に示すメニュー画面２２において、例えば、投資信託に関する情報を閲覧するために、タッチボタン（「そろそろ始めよう！投資信託」ボタン）２３ａをクリックすると、擬人化して表示されるエージェント２４が案内役としてガイダンス２７ａを説明する。このガイダンス２７ａはエージェント２４からの吹き出し２６ａ内で表示される。この場合、吹き出し２６ａ内で、例えば、「投資信託について分かりやすく説明します」というガイダンス２７ａが表示されて、スピーカ８（図２）から投資信託についての説明の標題２８がLesson１，Lesson２，Lesson３としてなされる。なお、これらのレッスンの視聴は、その部分を指先でクリックすることにより、選択できるようにしてもよい。この場合には、「次へ」ボタン２９をクリックすることにより、次の段階に進むようにする。
【００４７】
第１段階の投資信託の説明が済むと、次の段階に移り、図８（ｃ）に示すように、エージェント２４が次のガイダンス２７ｂの説明をする。ここでは、同様に吹き出し２６ｂでこのガイダンス２７ｂが、例えば、「当銀行で扱っている投資信託の一覧を見ることができます」と表示され、その一覧が表示される。
【００４８】
この場合、図８（ｃ）に示す情報検索画面２５では、前のガイダンス２７ａが、吹き出し２６ａ（図８（ｂ））が除かれた状態で、それによる説明の標題２８とともに、表示されたままとなっている。これにより、以前にどのようなガイダンスがなされたのかを知ることができ、以前になされたガイダンスによる所望の情報閲覧の内容を知りたいときに、それを簡単に選び出すことができる。この選び出しは、図８（ｃ）に示す情報検索画面２５の場合、表示されるガイダンス２７ａの表示部分をクリックすることによって可能である。あるいはまた、「前へ」ボタン３０をクリックすることにより、１つ前の情報検索画面（この場合、図８（ｂ）に示す情報検索画面２５）に戻すことができる。勿論、図８（ｂ）の最初の情報検索画面２５で「前へ」ボタン２７をクリックすると、図８（ａ）に示すメニュー画面２２に戻る。
【００４９】
このようにして、情報検索画面２５が変わっても、前に表示されたガイダンス２７ａがそのまま残っているので、以前に知らされた情報を検索することが容易となる。
【００５０】
図６に示すメニュー画面２２に表示される「相談する」ボタン２３ｉをクリックすると、図９（ａ）に示す相談画面３１に変わる。この場合、相談員端末２（図１）のいずれか１つにも、この相談画面３１と同じ画面が表示される。即ち、相談画面３１は、相談者の相談に応ずる相談員端末２との共有画面である。以下では、相談者側端末１での相談画面３１について説明するが、相談する相談員端末２に表示される相談画面についても同様である。
【００５１】
この相談画面３１では、このメニュー画面２２と同じ画像内容が表示され、これに夫々矢印状の相談者側のポインタ３２と相談員側のポインタ３３とが表示される。このポインタ３２により、所望のタッチボタン２３ａ〜２３ｇを選択して相談の資料とすることができる。
【００５２】
ここで、タッチパネル付きディスプレイ画面６（図２）として、図３で説明した構成のものを用いているものとして、このポインタ３２は、図３及び図４で説明したように、相談者の指先がタッチパネル１３をタッチ操作しているときに表示され、タッチパネル１４をタッチ操作したとき、その位置でのタッチボタンが選択される。また、この相談員側のポインタ３３も、相談員端末２で相談員がこれと同様の操作をしているとき、表示される。
【００５３】
また、相談者側のポインタ３２には、例えば、環状をなす枠で囲んだ表示部３２ａがくっついた状態で表示され、この表示部３２ａ内に図２に示す相談者側端末１のビデオカメラ７で撮影した相談者の顔の部分の動画像が表示されている。同様にして、相談員側ポインタ３３にも、環状の枠で囲んだ表示部３３ａがくっついて表示され、この表示部３３ａ内に相談員端末２に設けられているビデオカメラで撮影した相談員の顔の部分の動画像が表示されている。
【００５４】
図３及び図４で説明したように、ポインタ３２，３３は相談者，相談員がタッチパネルの操作をしなくなると、表示されなくなるが、これらポインタ３２，３３が消えても、動画像を表示する表示部３２ａ，３３ａはポインタ３２，３３が消えたときの位置で表示されたままとなる。かかる状態で、例えば、相談者が相談画面３１の所定の位置でタッチパネル１３（図３，図４）のタッチ操作すると、その位置にポインタ３２が表示されるようになるが、これとともに、相談者の顔部分の動画像を表示する表示部３２ａがこのポインタ３２の表示位置まで瞬間的に移動し、このポインタ３２と結合する。これにより、この表示されたポインタ３２が相談者側のものであることが明確となる。また、このようにポインタ３２とこれに対応する表示部３２ａとが結合された状態で相談者がタッチパネル１３にタッチする指先を移動させると、図３，図４で説明したように、ポインタ３２が相談画面３１上を移動するが、これとともに、表示部３２ａがこのポインタ３２に結合した状態で移動する。
【００５５】
このように、ポインタ３２，３３を移動させることができることから、相談員側から相談員のポインタ３２によるポイント点（指示点）を修正するようにすることができる。
【００５６】
即ち、図９（ａ）において、いま、相談者が口座の開設について相談を受けたいものとして、タッチボタン２３ｇを指示すべきところ、指先によるこの指示点がタッチボタン２３ｇからずれているものとすると、このとき表示されるポインタ３２のポイント点はこのタッチボタン２３ｇの位置からずれていることになる。そこで、相談員側では、ポインタ３３を表示させ、これを表示部３３ａとともにポインタ３２の方に移動させ、図９（ｂ）に示すように、ポインタ３２の表示部３２ａに衝突させる。これにより、ポインタ３２とその表示部３２ａとは、この衝突の反動によって移動し、図９（ｃ）に示すように、ポインタ３２が正しくタッチボタン２３ｇをポイントする位置に設定されることになる。この状態で図４（ｃ）に示すように、指先でタッチパネル１４をタッチ操作することにより、タッチボタン２３ｇが選択されることになる。
【００５７】
この場合のポインタ３２の移動量は、表示部３２ａのポインタ３３の衝突時の速度に応じて決まるようにしている。このために、ポインタ３２と表示部３２ａとの結合物の質量やポインタ３３と表示部３３ａとの結合物の質量，これらの衝突による反発係数などが仮想されており、これらを用いた演算により、衝突されたポインタ３２の移動量が決定される。勿論、表示部３２ａのポインタ３３の衝突時の速度とポインタ３２の移動量とを一対一に対応させておくこともできる。
【００５８】
以上のようにして、相談員側のポインタ３３を衝突させることにより、相談者側のポインタ３２の位置修正を行なうことができるが、相談員側のポインタ３３で相談者側のポインタ３２を引きつれていくようにすることにより、相談者側のポインタ３２の位置修正を行なうことができる。
【００５９】
即ち、図９（ｂ）に示すように、相談員側のポインタ３３を相談者側のポインタ３２の表示部３２ａに突き当てた状態で、相談員端末２において、マウス（図示せず）の右ボタンを押すと、図１０（ａ）に示すように、相談員側のポインタ３３が手の形のポインタ３３ｂに変化し、このポインタ３３ｂが相談者側のポインタ３２の表示部３２ａに触れていると、図１０（ｂ）に示すように、手の形のポインタ３３ｂがこの表示部３２ａを掴む状態となる。この状態はマウスの右ボタンを押している間保持される。
【００６０】
そして、このマウスの右ボタンを押したままマウスを移動させると、これに応じて手の形のポインタ３３ｂが表示部３２ａを掴んだまま移動し、従って、図１０（ｃ）に示すように、これとともに相談者側のポインタ３２も移動していく。従って、相談者が相談画面３１のどのタッチボタンを選択していいか判らないとき、相談員側からその正しいタッチボタンの位置にポインタ３２を導くことができる。
【００６１】
このようにして、相談者がポインタ３２によって相談画面３１の間違った位置を指示しても、相談員側からこれを修正することができる。この場合、夫々のポインタには、それに該当する人物の顔の映像も付随して表示されるので、相談者が相談画面３１の間違った位置を指示しても、その相談者の指示する位置が間違っていることを即座にかつ確実に相談員が知ることができ、正しい指示位置に修正することができる。
【００６２】
また、各ポインタに夫々の人物の顔の画像が動画像として表示されるので、相談する者通しが相手の顔色を見ながら相談することもでき、声だけの相談の場合や、顔を表示するといっても、それが静止画である場合よりも、相談の実感が湧き、より円滑な相談が可能となる。
【００６３】
さらに、上記は相談員側のポインタ３３が相談者側のポインタ３２を移動させるものであったが、同様にして、ポインタ３２をポインタ３３の表示部３３ａに衝突させることにより、ポインタ３３を移動させるようにすることもできる。これは、ポインタ３３がタッチボタンに重なった位置にあり、そのタッチボタンの表示内容が読み取りにくい場合、それをどかすことができるようにするので有効である。
【００６４】
ところで、この実施形態のこの相談の場合には、相談者側が相談のテーマを決め、この相談テーマにあった資料，情報を、相談画面３１のタッチボタンに表示される内容から判断して該当するタッチボタンをポインタ３２で選択することにより、得るようにしている。例えば、投資信託の特定の商品について説明を受ける場合、図１０（ａ）に示すように、相談者はポインタ３２でタッチボタン２３ａを選択するものであるが、これにより、図８（ｃ）に示す情報検索画面２５と同様の内容に画面が表示され、その投資信託の商品の一覧から相談したい商品を指定することができる。このようにして、相談員側から相談に必要な資料，情報が提供されるのではなく、相談者側から必要な資料，情報を示して相談に載って貰うようにすることができるのである。このように相談者側が選んで相談に使用した資料や情報は、その他の必要な情報とともに、図１における相談業務／管理サーバ４で記録されて保持される。
【００６５】
なお、図９及び図１０に示した相談画面３１では、矢印型のポインタ３２，３３に夫々人物の顔を動画で表示した表示部３２ａ，３３ａを結合したものを表示するようにしたが、図１１に示すように、かかる結合体を擬人化した画像としてもよい。同図において、画像３４は相談者側のものであり、画像３５が相談員側のものであり、夫々の手の部分３４ａ，３５ａがポインタに相当するものである。但し、この場合には、これら画像３４，３５は手の部分３４ａ，３５ａも含めて常時表示されており、図４（ｂ）に示すタッチパネル１３の操作状態でかかる画像３４，３５を移動させることができ、図４（ｃ）に示すタッチパネル１４の操作状態でクリックができるようにするものである。
【００６６】
ここで、図９〜図１１において、顔をビデオカメラ７（図２）に近づけると、表示部３２ａ，３３ａや画像３４，３５の顔の表示部分が拡大して顔の映像が拡大して表示され、顔をビデオカメラ７から遠ざけると、逆に縮小するようにしてもよい。この場合の顔をビデオカメラ７に近づけたか、ビデオカメラ７から遠ざけたかは適宜の距離センサを用いて検出することができる。あるいは、発声量に応じて同様のことをするようにしてもよい。
【００６７】
また、このように顔の表示領域が大きくなると、邪魔になる場合もある。このような場合には、顔の映像を半透明で表示するようにしてもよい。
【００６８】
以上説明したように相談画面３１を用いた相談は、資料の不足や時間の制限などにより、中断させることができる。この中断は、通常相談員側の了解のもとに、相談者側の操作によって実行される。以下、図１２及び図１３により、この相談の中断，再開のための操作とこれによる各部の動作について説明する。
【００６９】
相談員側で中断の操作が行なわれる（図１３（ａ）のステップ１００）。この操作は次のように行なわれる。
即ち、相談画面、例えば、図９（ａ）に示す相談画面３１において、「最初に戻る」ボタン２３ｊをタッチ操作すると、図示しないが、相談の「終了」と「中断」とを選択できる選択画面が表示され、「終了」を選択すると、ディスプレイ画面６（図２）に図６に示したメニュー画面２２が表示された状態に戻るが、「中断」を選択すると、図１２（ａ）に示すように、ディスプレイ画面６（図２）に中断画面３６が表示される。
【００７０】
また、「中断」の選択とともに、これまでの相談で使用された資料や相談者に関する情報などの必要な情報が相談履歴情報として相談者端末１から相談業務／管理サーバ４（図１）に送られ（図１３（ａ）のステップ１０１）、この相談業務／管理サーバ４の所定の個所に格納される（図１３（ａ）のステップ１０２）。また、このときの相談員に関する情報なども、相談員端末２から相談者端末１と相談業務／管理サーバ４とに送られ、相談業務／管理サーバ４の上記と同じ個所に格納される。なお、上記のように、かかる相談履歴情報は、相談中に順次相談業務／管理サーバ４に送り、格納するようにしてもよい。そして、相談業務／管理サーバ４は、この格納個所を示す格納位置情報を相談者側端末１に送り（図１３（ａ）のステップ１０３）、相談者側端末１では、この格納位置情報が相談カードに書き込まれる（図１３（ａ）のステップ１０４）。
【００７１】
このような動作が終わると、図１２（ａ）に示す中断画面３６では、そのときの相談員を示す相談カードの表面の画像３７ａと裏面の画像３７ｂとが表示され、その表面の画像３７ａに、相談員端末２からの上記の情報に基づいて、例えば、相談員の氏名や銀行名などが記載され、裏の画像３７ｂには、例えば、磁気ストライプ３７ｃが夫々設けられているように表示される。そして、例えば、スピーカ８（図２）から「私は○○花子と申します。名刺を差し上げます。この名刺の裏には磁気データとして今回のご相談の内容が記録されております。次回いらっしゃるときにこの名刺を挿入して頂ければ、いつ、どこの端末をご利用になっても、今回のご相談の続きをお話することができます。本日はご利用ありがとうございました。」などといったアナウンスが流される。そのアナウンス後、相談側端末１のカード挿入／排出口９（図２）から同様の相談カードが排出され（図１３（ａ）のステップ１０５）、その相談カードを相談者が受け取ることができる（図１３（ａ）のステップ１０６）。この相談カードの磁気ストライプ（図１２（ａ）で表示される磁気ストライプ３７ｃに対応するもの）に相談業務／管理サーバ４（図１）での上記の必要な相談履歴情報が格納されている個所を表わす格納位置情報が記録されている。
【００７２】
その後、相談者側端末１を使用して相談をするために、図６に示したメニュー画面２２で「相談する」ボタン２３ｉを上記のように選択すると、図１２（ｂ）に示す相談の初期画面３８がディスプレイ画面６に表示される。そこで、前回の相談の続きをしたい場合には、この相談の初期画面３８に表示される「相談カードを持っている」ボタン３９ｂを、上記の操作によってクリックする。これにより、ディスプレイ画面６は、図１２（ｃ）に示すカード挿入指示画面４０に移り、相談カードの端末本体５への装着方法を示す画像４１が表示される。
【００７３】
なお、図９〜図１１で説明した相談の場合も、説明は省略したが、相談者側端末２での図６に示すメニュー画面２２で「相談する」ボタン２３ｉをクリックすると、まず、図１２（ｂ）に示す相談の初期画面３８が表示され、上記の相談カードを持っていない場合には、「相談カードを持っていない」ボタン３９ａをクリックすると、図９（ａ）に示す相談画面３１に移ることになる。なお、相談カードに代えて、バーコードやパスワードで行なってもよい。
【００７４】
図１２（ｃ）に示すカード挿入指示画面４０において、その画像４１を参考にして、相談カードをカード挿入／排出口９（図２）から挿入すると（図１３（ｂ）のステップ２００）、この相談カードの磁気ストライプに記録されている格納位置情報が読み取られ（図１３（ｂ）のステップ２０１）、相談業務／管理サーバ４に送られる（図１３（ｂ）のステップ２０２）。相談業務／管理サーバ４は、この格納位置情報に基づく格納位置から相談履歴情報を読み取り（図１３（ｂ）のステップ２０３）、これを相談者端末１と相談員端末２とに送る（図１３（ｂ）のステップ２０５，２０６）。
【００７５】
これにより、図２に示す相談者端末１のディスプレイ画面６には、図１４に示す相談画面４２が表示されて前回の相談の続きを行なうことができる。この相談画面４２には、相談者の氏名やこの相談者の相談回数，前回の相談日，前回の相談員の氏名などが記載された情報画像４３が表示され、この使用する相談カードがその相談者所有のものであることや前回の相談員，これまでの相談の状況などを確認することができる。それ以外は図９（ａ）に示した相談画面３１と同様である。
【００７６】
なお、このような相談者の氏名などの上記の相談者に関する情報は、メニュー画面２２（図６）で「相談する」ボタン２３ｉがタッチ操作されて図１２（ｂ）に示す相談の初期画面３８が表示されたとき、スピーカ８（図２）を介した相談員からの指示に基づいてこの初期画面３８にスタイラスで書き込まれたものである。
【００７７】
一方、相談員端末２では、そのディスプレイ画面に図１５に示すような相談画面４４が表示される。この相談画面４４では、相談者端末１に表示される相談画面４２と同じ内容の相談共用画面４５と、相談業務／管理サーバ４から読み取ったこれまでのこの相談者との相談で使用した資料，情報をサムネイル表示した履歴画面４６と、相談者端末１で相談カードから読み取られた情報、即ち、顧客であるこの相談者のプロファイルや前回の相談員などの情報を表示する顧客画面４７とが表示される。かかる画面４６，４７により、前回と同じ相談員が決まり、また、この相談員が前回までの相談の内容を理解できて、今回の相談も円滑に行なわれるようになる。
【００７８】
以上のようにして相談員との相談を相談画面３１，４２を見ながら行なうことができるが、その相談中、あるいは相談の中断や終了時（但し、メニュー画面２２に戻す前）にこれまで相談に使用した資料や情報が必要な場合、相談者が相談画面３１での「印刷する」ボタン２３ｈ（図６参照）をクリックすることにより、相談者端末１のディスプレイ画面６に図１６（ａ）に示す印刷確認画面４８が表示される。この印刷確認画面４８では、その一部に設定される履歴画面４９に、これまで使用した資料や情報が相談業務／管理サーバ４（図１）から読み出されて、使用した順にサムネイル表示される。また、これとともに、図９に示したのと同様のポインタ３２，３３や、印刷を指示するための「すべて印刷」ボタン５０ａ、「選択画面を印刷」ボタン５０ｂも表示される。
【００７９】
そこで、相談者は、自分側のポインタ３２を移動させて、図１６（ｂ）に示すように、履歴画面４９中の必要な資料または情報を指定し、これをクリックすることによって選択し（なお、選択された資料または情報は枠状のポインタ５１で囲まれる。２以上の資料または情報を選択することもできる）、図１６（ｃ）に示すように、「選択画面を印刷」ボタン５０ｂをポインタ３２でクリックすることにより、選択した資料または情報が印刷された用紙が用紙読取／排出口１０（図２）から排出される。
【００８０】
また、図１６（ａ）の印刷確認画面４８で表示される全ての資料または情報が必要な場合には、「すべて印刷」ボタン５０ａを選択すればよい。これにより、夫々の資料または情報を印刷した用紙が用紙読取／排出口１０（図２）から排出される。
【００８１】
なお、情報の検索や相談などが終了して、以後の相談が不要な場合には、相談者自身が画面での「最初に戻る」ボタン２３ｊ（例えば、図１４）を操作して最初のメニュー画面２２（図６）に戻したときには、相談業務／管理サーバ４がこれを検知し、これまで情報の検索や相談などに使用した情報を相談業務／管理サーバ４から消去する。
【００８２】
相談者端末１のディスプレイ画面６（図２）に図１７（ａ）に示すメニュー画面２２（図６に示すメニュー画面２２と同じ）が表示された状態で、現在行なわれている、あるいはこれから行なわれる「鈴木Ａ治氏」の講演を聞きたい場合には、そのためのタッチボタン２３ｃを選択すればよい。この選択により、ディスプレイ画面６には、図１７（ｂ）に示す講演画面５２が表示される。この講演画面５２では、この講演の内容に関する情報を表示した情報表示欄５３と、講演者の顔映像が動画像として表示される講演者欄５４と、この講演者に対して質問を希望する質問者のアイコンを質問の申込み順に表示した質問者欄５５と、質問を申し込むための「質問する」ボタン５６とが表示されている。この質問者欄５５では、講演者との質疑応答が終わった質問者のアイコンは表示が終わる。相談者（この場合、受講者）が講演者に質問したい場合には、「質問する」ボタン５６をクリックすればよく、これにより、図１７（ｃ）に示すように、新たに希望した質問者のアイコン５７が質問者欄５５の最後尾に表示される。
【００８３】
なお、講演者との質疑応答は、図２に示す送受話器１１を介して行なわれるが、自分の順番が来ない限り、送受話器１１による講演者との通話はできない。
【００８４】
このようにして、講演者の講演を、この講演者に対して遠隔地に居ても、受講することができるし、また、講演者に質問するにしても、既に質問を申し込んでいる質問者の人数を把握できて、自分がいつ質問できるかを、おおまかにではあるが、確認することができる。
【００８５】
また、講演者も、相談員端末２を用いて、あるいは相談員端末２を介して講演を行なうものであり、質疑の時間になると、相談員端末２に質問者欄５５と同様の質問者欄が表示されるようにする。これにより、相談員（この場合、受講の受付員）あるいは講演者は質問者の人数を把握することができるから、１人当りの質疑応答時間を調整するなどして、全ての質問者が質疑応答できるように配慮することが可能となる。
【００８６】
以上、本発明の実施形態を説明したが、本発明はかかる実施形態にのみ限定されるものではない。例えば、上記実施形態では、銀行を例に説明したものであるが、証券会社や旅行会社など他のものにも適用できるものであって、これに応じてディスプレイ画面に表示される内容が異なることはいうまでもない。
【００８７】
また、図２に示した端末にしても、ディスプレイ画面２をほぼ水平状に設けるようにしてもよい。
【００８８】
また、上記の相談画面３１では、スタイラスを用いることにより、この相談画面３１に書込みを行なうようにすることもできる。この書込みも、必要な情報として、相談業務／管理サーバ４（図１）に保存することができるし、また、これから読み出して、図１２で説明したように、相談カードに記録したり、図１６で説明したように、印刷したりすることもできる。
【００８９】
【発明の効果】
以上説明したように、本発明による相談端末，相談システムによると、相談時に表示される共有画面上に相談者側の第１のポインタと相談員側の第２のポインタが表示され、相談員側の該第２のポインタでもって相談者側の第１のポインタを移動させることができるものであるから、相談員側から相談者に、共有画面でのこの相談者が指示すべき位置をこの相談者側の第１のポインタで正しくかつ判り易く知らせるようにすることができ、相談員がその第２のポインタで、あるいは音声などで相談者に共有画面での指示したい位置を知らせる場合の不充分な意志の疎通などを防止できる。
【００９０】
また、本発明による相談システムによると、相談者端末が相談者の顔部分をビデオカメラで撮像し、相談者端末と相談員端末とで第１のポインタにその撮像画像を動画像として表示する表示部を設け、同様に、相談者端末と相談員端末での第２のポインタでも、相談員の顔部分を動画像として表示する表示部を設けているので、相談者は、第１のポインタが自己のポインタであって、第２のポインタが相談員側のポインタであることが容易に判別でき、ポインタを間違えることは全くない。
【００９１】
また、本発明による表示装置によると、表示画面上に第１のタッチパネルと第２のタッチパネルとを設け、該第２のタッチパネルにタッチすることにより、該第２のタッチパネルのタッチ位置に対応する該表示画面の位置にポインタを表示し、該第２のタッチパネルを介して該第１のタッチパネルにタッチすることにより、そのときの該表示画面での該ポインタの表示位置を決定位置とするものであるから、モードの切替え操作をすることなく、ポインタの移動操作とポインタの指示位置の決定を行なうことができる。
【００９２】
また、本発明による表示装置によると、表示画面上にタッチパネルを設け、該タッチパネルに操作者が指先でタッチしたときには、このタッチパネルへの指先のタッチ位置に対応する表示画面の位置を決定位置とし、このタッチパネルに操作者がタッチがスタイラスの先端部でタッチしたときには、このタッチパネルへのスタイラスの先端部のタッチ位置に対応する表示画面の位置への画像の書込みをするものであるから、モードの切替え操作をすることなく、表示画面での指示位置の決定と表示画面での画像の書込みとを選択的に行なうことができる。
【図面の簡単な説明】
【図１】本発明による相談システムの一実施形態を示す概略構成図である。
【図２】図１における相談者端末の一具体例を示す外観斜視図である。
【図３】図２におけるタッチパネル付きディスプレイ画面の一具体例の概略構成を示す斜視図である。
【図４】図３に示したタッチパネル付きディスプレイ画面でのタッチ操作とそれによる画面表示とを示す図である。
【図５】図５に示した具体例で設定される２つのモードを示す図である。
【図６】図２における相談者端末のディスプレイ画面に表示されるメニュー画面の一具体例を示す図である。
【図７】図６に示すメニュー画面から得られる機能を示す図である。
【図８】図２における相談者端末のディスプレイ画面で表示される情報検索画面の一具体例を示す図である。
【図９】図２における相談者端末のディスプレイ画面で表示される相談画面の一具体例とそこでのポインタ操作の一具体例を示す図である。
【図１０】図２における相談者端末のディスプレイ画面で表示される相談画面でのポインタ操作の他の具体例を示す図である。
【図１１】図２における相談者端末のディスプレイ画面で表示される相談画面でのポインタの他の具体例を示す図である。
【図１２】相談の中断の場合の図２における相談者端末のディスプレイ画面で表示される画面の一具体例を示す図である。
【図１３】相談の中断時の動作と相談再開時の動作とを示すフローチャートである。
【図１４】図１２に示した中断後の図２における相談者端末のディスプレイ画面で表示される相談画面の一具体例を示す図である。
【図１５】図１２に示した中断後の図１における相談員端末で表示される相談画面の一具体例を示す図である。
【図１６】図２における相談者端末のディスプレイ画面で表示される印刷確認画面の一具体例を示す図である。
【図１７】図２における相談者端末のディスプレイ画面で表示される講演画面の一具体例を示す図である。
【符号の説明】
１  相談者端末
２  相談員端末
３  通信回線
４  相談業務／管理サーバ
５  端末本体
６  タッチパネル付きのディスプレイ装置
７  ビデオカメラ
１３，１４  タッチパネル
２２  メニュー画面
２３ａ〜２３ｇ  タッチボタン
２５  情報検索画面
２４  エージェント
２６ａ，２６ｂ  吹き出し
２７ａ，２７ｂ  ガイダンス
３１  相談画面
３２  相談者側のポインタ
３３  相談員側のポインタ
３２ａ，３３ａ  表示部
３３ｂ  手の形のポインタ
３４，３５  画像
３４ａ，３５ａ  手の部分
３６  中断画面
３８  相談の初期画面
４０  カード挿入指示画面
４２  相談画面
４３  情報画像
４４  相談画面
４５  相談共用画面
４６  履歴画面
４７  顧客画面
４８  印刷確認画面
４９  履歴画面
５２  講演画面
５３  情報表示欄
５４  講演者欄
５５  質問者欄
【図１】
0004500414.tif 000002
【図２】
0004500414.tif 000003
【図３】
0004500414.tif 000004
【図４】
0004500414.tif 000005
【図５】
0004500414.tif 000006
【図６】
0004500414.tif 000007
【図７】
0004500414.tif 000008
【図８】
0004500414.tif 000009
【図９】
0004500414.tif 000010
【図１０】
0004500414.tif 000011
【図１１】
0004500414.tif 000012
【図１２】
0004500414.tif 000013
【図１３】
0004500414.tif 000014
【図１４】
0004500414.tif 000015
【図１５】
0004500414.tif 000016
【図１６】
0004500414.tif 000017
【図１７】
0004500414.tif 000018